(57)【要約】【課題】コンタクト印刷に適した、高精度印刷が可能で、耐久性の高いコンビネーションスクリーン版を得ること。【解決手段】枠２と、印刷用スクリーン３と、内周部が印刷用スクリーンの外周部と接合され、外周部が枠に固定された支持体４と、を備えるコンタクト印刷用コンビネーションスクリーン版１である。印刷用スクリーン３は金属繊維を編み込んだ金属メッシュであり、支持体４は、印刷用スクリーンに比べて、スキージング時における平面方向の伸びが小さく、かつ厚み方向の変位量が小さい高強度の金属板で形成されている。印刷用スクリーン３は、支持体４の印刷ステージ側に接合されている。コンタクト印刷時の印刷用スクリーン３の平面方向の伸びを抑制でき、高精度で耐久性の高いコンビネーションスクリーン版１が得られる。【選択図】      図１
2020138547.tif 000002
【特許請求の範囲】
【請求項１】
枠と、印刷用スクリーンと、内周部が前記印刷用スクリーンの外周部と接合され、外周部が前記枠に固定された支持体と、を備えるコンタクト印刷用コンビネーションスクリーン版において、
前記印刷用スクリーンは金属繊維を編み込んだ金属メッシュであり、
前記支持体は、前記印刷用スクリーンに比べて、スキージング時における平面方向の伸びが小さく、かつ厚み方向の変位量が小さい高強度の金属板で形成され、
前記印刷用スクリーンは、前記支持体の印刷ステージ側に接合されている、
コンタクト印刷用コンビネーションスクリーン版。
【請求項２】
前記印刷用スクリーンは前記支持体に所定の張力を持って接合されており、
前記支持体は、前記印刷用スクリーンの張力に対して非変形状態を保持できる厚みの金属板である、請求項１に記載のコンタクト印刷用コンビネーションスクリーン版。
【請求項３】
前記支持体の開口部のスキージ移動方向と直交方向の幅Ｄは、スキージの全長よりも短い、請求項１又は２に記載のコンタクト印刷用コンビネーションスクリーン版。
【請求項４】
前記支持体の前記開口部よりスキージ移動方向の前側には、ペーストのローリングが安定する距離である幅Ｗ１の余白部が設けられている、請求項１〜３のいずれか１項に記載のコンタクト印刷用コンビネーションスクリーン版。
【請求項５】
前記支持体の前記開口部よりスキージ移動方向の後側には、ペースト溜まりとなる幅Ｗ２の余白部が設けられている、請求項１〜４のいずれか１項に記載のコンタクト印刷用コンビネーションスクリーン版。
【請求項６】
請求項１乃至５のいずれか１項に記載のコンタクト印刷用コンビネーションスクリーン版と、
前記コンビネーションスクリーン版の印刷用スクリーン上に供給されたペーストを押圧しながら水平移動するスキージと、
断面円弧状の外周面を有し、前記外周面上に吸着した被印刷物の表面を前記印刷用スクリーンの裏面の前記スキージの先端位置と対応する位置に接触させながら前記スキージの移動と同期して回転する印刷用ステージと、を備えた印刷装置。
【発明の詳細な説明】
【技術分野】
【０００１】
本発明は、コンタクト方式のスクリーン印刷に使用されるコンビネーションスクリーン版に関する。
【背景技術】
【０００２】
スクリーン印刷では、ファインライン印刷に対応するためスクリーンの細線化が進んでおり、強度が低く高価なスクリーンを使用するために、印刷用スクリーンを枠に直接貼り付けた直貼り構造と比べ、コンビネーション構造のスクリーン版が主流になっている。コンビネーションスクリーン版とは、印刷用スクリーンの周囲を支持体を介して枠に固定したものである。
【０００３】
コンビネーションスクリーン版の場合、印刷時の印圧による印刷用スクリーンへの荷重を支持体によって吸収するため、支持体として印刷用スクリーンより弾力性のある合成繊維スクリーンが一般に使用されている(例えば特許文献１)。
【０００４】
しかしながら、近年の電子部品の微細化・多機能化によって、回路の線幅が微細化し、更に高い印刷座標精度でスクリーン印刷する要求が高まっている。例えば積層セラミックコンデンサなどの多層製品では、±２０μｍ以下の印刷精度が求められる。このため、従来の合成繊維スクリーンからなる支持体を用いたコンビネーションスクリーン版では、目標とする印刷精度を達成できないという問題があった。
【０００５】
特許文献２には、印刷用スクリーンとしてステンレススチール繊維を編組したスクリーンメッシュの編組部表面にメッキ被膜を被覆したリジダイズドスクリーンを使用し、支持体スクリーンとして印刷用スクリーンよりも粗く、且つ線径の太いステンレススチール繊維を編組したスクリーンメッシュの編組部表面にメッキ被膜を被覆したリジダイズドスクリーンを使用した、コンビネーションスクリーン版が開示されている。この場合には、支持体スクリーンが合成繊維スクリーンより伸びが小さいので、印刷精度の向上が図られる。
【０００６】
しかし、支持体としてステンレススチールメッシュを使用しているため、スキージの印圧によって変形した後の位置座標の復元性があまり良くなく、印刷図形が歪みやすい。その結果、所望の印刷精度を得ることが難しい。さらに、支持体が印刷用スクリーンと同じくメッシュ構造であり、しかもメッキ処理を施す必要があるため、高価である。加えて、ペースト（印刷用インク）の一部が支持体スクリーンの目地に入り込み、このペーストが印刷品質に悪影響を及ぼす可能性もある。
【先行技術文献】
【特許文献】
【０００７】
【特許文献１】特許第５５２９３９５号公報
【特許文献２】特開２００７−６２２２５号公報
【特許文献３】特開平８−１１２８９１号公報
【特許文献４】特開平５−２５４０８７号公報
【発明の概要】
【発明が解決しようとする課題】
【０００８】
本発明の目的は、コンタクト印刷に適した、高精度印刷が可能で、耐久性の高いコンビネーションスクリーン版を提供しようとするものである。
【課題を解決するための手段】
【０００９】
本発明の意義について説明する前に、まずコンタクト印刷について説明する。スクリーン印刷には大別してオフコンタクト方式とコンタクト方式とがある。オフコンタクト方式とは、水平に支持された印刷ステージ上に被印刷物を載置し、この被印刷物の表面との間に隙間を空けた状態でスクリーン版の印刷用スクリーンを保持し、印刷用スクリーン上にペーストを供給し、スキージを印刷用スクリーンに押し当てながら水平移動させることによって、印刷用スクリーンを撓ませて、印刷用スクリーンに形成されたパターンを被印刷物に対して転写するものである。
【００１０】
しかし、オフコンタクト方式による印刷方法では、１回のスキージング毎に印刷用スクリーンが下方へ引き伸ばされ、同時に、スキージとの摩擦抵抗によって平面方向にも引き伸ばされる。その結果、被印刷物の表面上に形成されたパターンの印刷ずれが大きくなりやすく、また印刷用スクリーンの耐久性も低下しやすいという問題がある。
【００１１】
一方、コンタクト方式は、被印刷物の表面と印刷用スクリーンとをほぼ接触状態（但し、印刷用スクリーンと被印刷物間の距離は０とは限らない）で保持しておき、スキージを水平移動させることによって、印刷用スクリーンを厚み方向に殆ど撓ませることなく、印刷用スクリーンに形成されたパターンを被印刷物に転写することができる。このようなコンタクト方式の印刷方法では、オフコンタクト方式に比べて印刷用スクリーンの厚み方向の伸びが少ないので、印刷ずれや形状劣化が小さくなるという利点がある。
【００１２】
特許文献３、４に記載のように、断面円弧状の外周面を有する印刷ステージを使用し、この外周面上に吸着した被印刷物の表面を印刷用スクリーンの裏面のスキージの先端位置と対応する位置に接触させながら、スキージの移動と同期して印刷ステージを回転させる、コンタクト方式の印刷方法も開発されている。このような円弧状外周面を持つ印刷ステージを使用すると、スキージの移動と同期して印刷用スクリーンとステージとが部分的に接触するので、平面状の印刷ステージに比べて、印刷用スクリーンを印刷ステージから剥離する際の印刷用スクリーンの伸びを抑制でき、印刷精度及び印刷用スクリーンの耐久性が向上する利点がある。
【００１３】
しかしながら、円弧状外周面を持つ印刷ステージを用いたコンタクト方式の印刷方法であっても、スキージとの摩擦抵抗による印刷用スクリーンの平面方向の伸びは抑制できない。
【００１４】
そこで、本発明のコンビネーションスクリーン版は、印刷用スクリーンとして金属製スクリーンを使用し、支持体として印刷用スクリーンより高強度の金属板を使用し、この金属板で印刷用スクリーンの周囲を保持した点を特徴としている。支持体の補強効果により、スキージとの摩擦による印刷用スクリーンの平面方向の伸びを抑制でき、従来のコンビネーションスクリーン版に比べて位置の座標再現性がよく、高精度の印刷が可能になる。支持体が金属板であるから、厚み方向には殆ど変形できないが、コンタクト印刷のため、支持体が厚み方向に変形する必要はない。スクリーンとステージとの剥離時にスクリーンが厚み方向に伸びることがあるが、スクリーンの周囲を高強度の金属板で支持しているため、印刷用スクリーンの厚み方向の伸びを抑制できる。その結果、高精度の印刷が可能で、耐久性のよいコンビネーションスクリーン版を提供できる。
【００１５】
印刷用スクリーンとしては、金属製スクリーンが使用されるが、例えばＳＵＳスクリーン、タングステンスクリーンなど公知のスクリーンを使用できる。印刷用スクリーンは金属繊維からなる織物構造体（メッシュ）に限らず、メタルマスクでもよい。特に、ハイメッシュと呼ばれる、金属線が細くより細かく編まれた高精度なスクリーンが好ましい。
【００１６】
支持体としての「金属板」とは、メタルマスクやメッシュのような網目状又は繊維状の構造体ではなく、平板のことである。必ずしも一定厚みである必要はないが、一定厚みの平板であれば、強度が一定しており、加工が容易で安価である。支持体の金属材料としては、ヤング率が７０ＧＰａ以上、６４０ＧＰａ以下が好ましく、ヤング率１５０ＧＰａ以上、４３０ＧＰａ以下がさらに好ましい。印刷用スクリーンを支持体の下面側に固定した場合、支持体と印刷用スクリーンとの段差での空間を小さくするため、支持体の厚みは３ｍｍ以下、特に１ｍｍ以下が望ましい。また、スキージとの摩擦による変形を抑制できるように、厚みは０．１ｍｍ以上であるのが望ましい。このような薄肉で高強度の支持体を使用して金属製の印刷用スクリーンを支持することで、印刷作業性に優れ、かつ高印刷精度（例えば±２０μｍ以下）のスクリーン印刷版を実現できる。印刷用スクリーンとしてハイメッシュのような強度の低いスクリーンを使用しても、印刷図形の座標再現性が高い。
【００１７】
支持体の熱膨張係数は１×１０-6／℃以上、２３×１０-6／℃以下が好ましく、４×１０-6／℃以上、１１×１０-6／℃以下がさらに好ましい。熱膨張係数が小さいことで、温度変化による印刷精度のばらつきを抑制できる。印刷用スクリーン及び支持体が共に金属であるため、湿度変化による影響、ペーストに含まれる溶剤による膨潤や化学変化による影響を受けにくい。そのため、合成繊維スクリーンからなる印刷用スクリーン及び支持体に比べて、耐久性に優れている。このような高強度・低熱膨張・非吸湿単板として、例えばステンレス板、アルミニウム板、スーパーインバー、超硬合金、銅板、高強度鋼板などを一般的に使用できる。
【００１８】
支持体がスクリーンではなく金属製平板であるから、安価である。多数回の使用により支持体が変形した場合、必要であれば支持体だけを取り替えることもできる。さらに、支持体がメッシュ構造ではなく金属平板であるから、特許文献２のように、ペーストの一部が支持体の目地に入り込むこともない。
【００１９】
印刷用スクリーンは支持体に所定の張力を持って接合されており、支持体は、印刷用スクリーンの張力に対して非変形状態を保持できる厚みの金属板であるのが望ましい。金属板には種々のヤング率を持つ材料があるが、ヤング率が高くても極薄肉な板材であれば、撓みを抑制できないことがある。したがって、支持体として印刷用スクリーンの張力に対して非変形状態（平板状態）を保持できる厚みの金属板を用いるのがよい。
【００２０】
印刷用スクリーンは、支持体の印刷ステージ側に接合されているのが望ましい。スクリーン印刷では、コンビネーションスクリーン版の裏面側がステージ（又はステージに保持された被印刷物）と接触することになる。印刷用スクリーンが支持体の上面側に接合されている場合には、剛性のある支持体の裏面側がステージと干渉し、ステージを損傷させる可能性がある。また、支持体の厚み分の印刷用スクリーンの伸びが発生し、座標歪みが発生することがある。そこで、印刷用スクリーンが支持体の裏面側、つまり印刷ステージ側に接合されていることで、支持体とステージとの干渉を防止でき、支持体の厚みによる印刷用スクリーンの伸びを抑制できる。
【００２１】
本発明にかかるコンタクト印刷用コンビネーションスクリーン版を、特許文献３のような円弧状外周面を持つ印刷ステージを用いた印刷装置に適用するのが望ましい。この場合には、コンタクト方式であるために印刷用スクリーンの厚み方向の変位を抑制でき、しかも支持体の補強効果により印刷用スクリーンが平面方向にも変位しにくいので、高い印刷精度を達成できる。さらに、スキージの移動と同期して印刷用スクリーンとステージとが部分的に接触するので、印刷用スクリーンを印刷ステージから剥離する際の印刷用スクリーンの伸びを抑制でき、印刷精度及び印刷用スクリーンの耐久性が一層向上する。
【発明の効果】
【００２２】
以上のように、本発明によれば、印刷用スクリーンとして金属製スクリーンを使用し、支持体として印刷用スクリーンより高強度の金属板を使用し、この金属板で印刷用スクリーンの周囲を保持したので、支持体の補強効果により、スキージとの摩擦による印刷用スクリーンの平面方向の伸びを抑制でき、従来のコンビネーションスクリーン版に比べて位置の座標再現性がよく、高精度の印刷が可能になる。さらに、金属板はスクリーンに比べて多数回の使用に対する劣化が低いので、耐久性に優れたコンビネーションスクリーン版を実現できる。なお、金属板からなる支持体の場合、オフコンタクト印刷では支持体の伸びが無く、印刷用スクリーンが被印刷物と接触できないためペースト転写ができず、うまく印刷ができないが、コンタクト印刷と組み合わせることで高精細な印刷ができる。
【図面の簡単な説明】
【００２３】
【図１】本発明に係るコンタクト印刷用コンビネーションスクリーン版の第１実施形態を示す平面図及びＡ−Ａ線断面図である。
【図２】ＳＵＳ４３０板、 ステンレススクリーン、ポリエステルスクリーンのＳ−Ｓカーブである。
【図３】支持体としてポリエステルスクリーンを使用した従来例と、ＳＵＳ４３０板を使用した本発明との、印刷前後の座標復元性を比較した図である。
【図４】支持体としてポリエステルスクリーンを使用した従来例と、ＳＵＳ４３０板を使用した本発明との、温湿度変化を比較した図である。
【図５】図１に示すコンビネーションスクリーン版を適用したコンタクト方式の印刷装置の断面図である。
【図６】本発明に係るコンビネーションスクリーン版の印刷精度を示す図である。
【発明を実施するための形態】
【００２４】
図１は、本発明に係るコンタクト印刷用コンビネーションスクリーン版の第１実施形態を示す。このコンビネーションスクリーン版１は、枠２と、印刷用スクリーン３と、内周部が印刷用スクリーン３の外周部と接合され、外周部が枠２に固定された支持体４と、を備える。
【００２５】
枠２は厚みのある部材によって四角形枠状に形成されており、その内側をスキージが移動できるような大きさに形成されている。枠２の材質は、例えばアルミニウム又はアルミニウム合金などの金属材料で形成されている。従来のスクリーン印刷版では、枠２が印刷用スクリーン３の張力を保持する役割を有していたが、この実施形態では印刷用スクリーン３の張力を支持体４が保持する。そのため、支持体４は印刷用スクリーン３を枠２に強固に支持する役割を有する。
【００２６】
印刷用スクリーン３としては、金属製メッシュ又は金属製マスクが使用される。金属製メッシュは細い金属繊維を編み込んだものであり、例えばＳＵＳメッシュ、タングステンメッシュ、高強度鋼メッシュなどが使用される。この金属製メッシュに例えば感光性樹脂で印刷図形（図示せず）をパターニングしたものが使用される。金属製メッシュとして、特にハイメッシュと呼ばれる、金属線が細くより細かく編まれた高精度なスクリーンが好ましい。金属製マスクとは、金属箔や金属プレートに対し、例えばエッチング、レーザー加工、電鋳などにより印刷パターンを形成した多孔性のメタルマスクのことである。
【００２７】
支持体４は印刷用スクリーン３より高強度の金属製単板からなり、その外周部が枠２の下面に接着等によって固定されている。支持体４の中心部には四角形状の開口部４ａが形成されており、この開口部４ａの周囲に印刷用スクリーン３の外周部が所定の張力を付与した状態で固定されている。特に、印刷用スクリーン３は支持体４の下面側、つまりステージ側に固定されているのが望ましい。その理由は、スクリーン版が印刷用ステージと接触した際、ステージ上の被印刷物が支持板４との干渉による損傷を受けるのを防止するためである。支持体４と枠２との固定方法、及び支持体４と印刷用スクリーン３との固定方法は、接着以外の接合方法も可能である。
【００２８】
支持体４の大きさは、次のような条件を満足するのが望ましい。すなわち、バラつきなく印刷するためにはスキージの助走距離が必要であり、支持体４のスキージ移動方向前側の幅Ｗ１は、ペーストのローリングが安定するまでの距離を確保できる寸法が望ましい。また、ペースト溜まりが印刷部に掛かるとニジミの原因になるので、支持体４のスキージ移動方向後側の幅Ｗ２は、ペースト溜まりの余白部を確保できる寸法とするのが望ましい。さらに、スキージ端部は負荷が掛かるので印刷部から離す必要があり、スキージの幅方向にも余白部を確保するため、支持体４の開口部４ａのスキージ移動方向と直交方向の幅Ｄは、スキージの全長よりも短い寸法とするのが望ましい。
【００２９】
支持体４は、印刷用スクリーン３に比べて、スキージング時における平面方向の伸びが小さく、かつ厚み方向の変位量が小さい高強度の金属板で形成されている。特に、印刷用スクリーン３の張力に対して非変形状態を保持できる厚みの金属板を使用するのがよい。支持体４の材質及び厚みは、ヤング率が７０ＧＰａ以上、６４０ＧＰａ以下で、厚みが０．１ｍｍ以上、３ｍｍ以下が好ましく、ヤング率１５０ＧＰａ以上、４３０ＧＰａ以下で、厚み０．１ｍｍ以上、１ｍｍ以下がさらに好ましい。支持体４の熱膨張係数は１×１０-6／℃以上、２３×１０-6／℃以下が好ましく、４×１０-6／℃以上、１１×１０-6／℃以下がさらに好ましい。このような高強度・低熱膨張の金属板として、例えばステンレス板、銅板、アルミニウム板、スーパーインバー、超硬合金、高強度鋼板などを一般的に使用できる。
【００３０】
従来のコンビネーションスクリーン版における支持体の機能は、印刷時に生じる版の変形を、自身の伸びによって負担することにより、印刷用スクリーンの変形を極力小さくすることである。一方、本発明のコンビネーションスクリーン版における支持体の機能は、印刷時の変形を自身の伸びによって負担することではなく、印刷用スクリーンの周囲を補強して、印刷用スクリーンの変形を極力小さくすることである。そのため、支持体４には高強度の金属板が使用されている。支持体４の厚みは任意であるが、スキージの端部が支持体４上を摺動するよう設計されている場合には、支持体４と印刷用スクリーン３との段差での空間を小さくし、スキージの損傷を抑制するため、支持体４の厚みは３ｍｍ以下、特に１ｍｍ以下が望ましい。また、スキージとの摺動摩擦による変形を抑制できるように、厚みは０．１ｍｍ以上であるのが望ましい。なお、段差部に接着剤などを充填することで、スキージの損傷を抑制することも可能である。
【００３１】
表１は、支持体４の例としてＳＵＳ４３０板、Ａｌ、インバー材、超硬合金を使用した場合と、従来の一般的支持体であるポリエステルスクリーンを使用した場合との、各材料特性の比較表である。ポリエステルスクリーンの場合、形状が網状であり、ヤング率が低く、熱膨張係数及び湿度膨張係数が大きいので、座標再現性が低く、荷重変形、温度及び湿度変化に対する抑制効果が低い。これに対し、支持体の材質がＳＵＳ４３０板、Ａｌ、インバー材、超硬合金の場合、いずれもヤング率がポリエステルスクリーンの数十倍以上であり、熱膨張係数及び湿度膨張係数が小さく、しかも形状が板状であるから、座標再現性が高く、荷重変形、温度変化及び湿度変化に対する抑制効果が高い。その結果、印刷精度が高くなるという効果がある。
【００３２】
【表１】
2020138547.tif 000003
【００３３】
図２は、ＳＵＳ４３０板（厚み０．４ｍｍ）、ステンレススクリーン（＃１５０−６１：線径61μｍメッシュ数150本/inch）、樹脂スクリーン（ポリエステルスクリーン＃２３０−４８：線径48μｍメッシュ数230本/inch）のＳ−Ｓカーブである。図２から明らかなように、ＳＵＳ４３０板の強度は、樹脂スクリーンは勿論、材質は同等のステンレススクリーンと比較しても、圧倒的に高いことがわかる。そのため、印刷中の支持体の変形、ひいては印刷用スクリーンの変形を効果的に抑制できる。
【００３４】
図３は、印刷前後の座標復元性を、従来構造と本発明構造とで比較したものである。従来構造では、支持体として外寸３２０ｍｍ□、内寸２１０ｍｍ□、＃２３０−４８のポリエステルスクリーンを使用し、印刷用スクリーンとしてタングステンスクリーンを使用した。本発明構造では、支持体として外寸３２０ｍｍ□、内寸２１０ｍｍ□、厚み０．４ｍｍのＳＵＳ４３０板を使用し、印刷用スクリーンとして従来例と同じタングステンスクリーンを使用した。印刷方法はコンタクト方式であり、条件は同じとした。座標ずれは印刷前後の各座標の差である。
【００３５】
図３から明らかなように、印刷前後の座標ずれは、従来構造では±５μｍであり、ずれの傾向も全周にわたってバラバラであった。これに対し、本発明構造の座標ずれは±２μｍであり、座標位置も初期位置に近かった。その結果、ＳＵＳ４３０板を支持体として使用した場合に、従来に比べて印刷前後の座標復元性が向上したことがわかる。
【００３６】
図４は、温湿度変化による座標復元性を、従来構造と本発明構造とで比較したものである。使用したスクリーン版は図３と同様である。従来構造の場合、温度変化による変形は１．４μｍ／℃・６８ｍｍであり、湿度変化による変形は−２．１μｍ／１０％・６８ｍｍであり、変形は非直線形であるのに対し、本発明構造では、温度変化による変形は１．２μｍ／℃・６８ｍｍであり、湿度変化による変形は−１．２μｍ／１０％・６８ｍｍであり、変形も直線形であった。よって、支持体をポリエステルスクリーンからＳＵＳ４３０板にすることで、支持体が低熱膨張・非吸湿材になり、温湿度変化に対する歪みを抑制できた。
【００３７】
図５は、本発明にかかる印刷装置の一例を示す。この例は、図１に記載のコンビネーションスクリーン版１をコンタクト方式の印刷装置に適用したものである。コンビネーションスクリーン版１の上側には、印刷用スクリーン３及び支持体４上を摺動するスキージ１０が、水平方向に移動する移動機構１１に取り付けられている。スキージ１０は所定の印圧をもって印刷用スクリーン３及び支持体４に斜めに圧接している。スキージ１０の全長（紙面と垂直方向の長さ）は、支持体４の開口部４ａの幅（図１のＤ）より大きくするのが望ましい。この場合、最も負荷がかかるスキージ１０の端部は支持体４上を摺動するため、印刷用スクリーン３にかかる負荷を軽減できる。さらに、支持体４のスキージ移動方向前側の幅（図１のＷ１）は、ペーストのローリングが安定するまでのスキージの助走距離であり、支持体４のスキージ移動方向後側の幅（図１のＷ２）は、ペースト溜まりの余白部である。
【００３８】
コンビネーションスクリーン版１の下側には、断面円弧状の外周面１２ａを有する印刷用ステージ１２が配置されている。印刷用ステージ１２の幅方向寸法（紙面と垂直方向の寸法）は、支持板４の開口部４ａの幅Ｄより大きい。このステージ１２の外周面上には、セラミックグリーンシートなどの被印刷物（図示せず）が吸着保持されている。ステージ１２は、被印刷物の表面を印刷用スクリーン３の裏面のスキージ１０の先端位置と対応する位置に接触させながら、スキージ１０の移動と同期して矢印方向に回転するよう、図示しない回転機構に取り付けられている。なお、断面円弧状の外周面は、楕円の円弧状の外周面であってもよい。詳しい構成は特許文献４に記載の通りであるため、ここでは省略する。
【００３９】
図５において、二点鎖線は印刷の開始状態、一点鎖線は中間状態、実線は終了状態を示す。スキージ１０はペースト（印刷用インク）Ｐを印刷用スクリーン３に押しつけながら、矢印方向へ水平移動する。ステージ１２の円弧状外周面１２ａの頂部が、印刷用スクリーン３の裏面のスキージ１０の先端位置と対応する位置に部分的に接触するため、ペーストＰの粘性に起因するステージ１０との剥離時の印刷用スクリーン３の伸びを抑制できる。また、印刷用スクリーン３の周囲が高強度の支持体４によって支持されているので、スキージ１０との摩擦による印刷用スクリーン３の平面方向の伸びも抑制又は防止できる。
【００４０】
このように、ステージ１２は印刷用スクリーン３の裏面のスキージ１０の先端位置と対応する位置に部分的に接触しながら回転するので、印刷用スクリーン３とステージ１２との剥離時の印刷用スクリーン３の変形を、効果的に抑制することができる。また、印刷用スクリーン３の周囲が高強度の金属板である支持体４によって保持されているので、スキージ１０との摩擦による印刷用スクリーン３の平面方向の伸びを抑制できる。さらに、さらに、コンタクト印刷の特徴である印刷用スクリーン３の厚み方向の伸びも抑制できる。
【００４１】
図５に示す印刷装置を用い、以下の条件でスクリーン印刷を行った結果を図６に示す。版構造及び印刷条件は以下の通りである。
枠：外寸３６４ｍｍ、内寸３２０ｍｍ□、厚み１６．５ｍｍのアルミニウム枠
支持体：外寸３６４ｍｍ□、内寸２１０ｍｍ□、厚み０．４ｍｍのＳＵＳ４３０板
印刷用スクリーン：ハイメッシュのタングステンスクリーン（＃430-13：線径13μｍメッシュ数430本/inch）
【００４２】
上記条件で、断面円弧状のステ―ジを用いてコンタクト方式のスクリーン印刷を行ったところ、多層製品で必要な印刷精度±１５μｍを安定して達成することができた。よって、本発明に係るコンビネーションスクリーン版の効果が証明された。このような高精度のコンビネーションスクリーン版を使用することによって、高密度印刷が可能になり、高機能の多層商品を製造することができる。
【００４３】
上記実施例は、本発明のほんの数例を示すに過ぎず、本発明の趣旨を逸脱しない範囲で変更可能である。上記実施形態では、支持体の材質としてＳＵＳ４３０を使用したが、それ以外のステンレス板を使用してもよく、さらには高強度鋼板、アルミニウム板、銅板、その他の合金などの他の金属板を使用することもできる。ヤング率に応じて、支持体の厚みを設定するのがよい。
【００４４】
図５の印刷装置では、ステージとして断面扇形のステージを使用したが、蒲鉾形状や円筒状ステージであってもよく、凸曲面を有するステージであればよい。さらに、本発明のコンビネーションスクリーン版は、図５のような凸曲面を有するステージを使用したコンタクト方式の印刷方法に限らず、線剥離印刷、さらには平板状ステージを用いたコンタクト方式の印刷方法にも適用できる。
[備考]
（１）枠と、印刷用スクリーンと、内周部が前記印刷用スクリーンの外周部と接合され、外周部が前記枠に固定された支持体と、を備えるコンタクト印刷用コンビネーションスクリーン版において、
前記印刷用スクリーンは金属製スクリーンであり、
前記支持体は、前記印刷用スクリーンに比べて、スキージング時における平面方向の伸びが小さく、かつ厚み方向の変位量が小さい高強度の金属板で形成されている、コンタクト印刷用コンビネーションスクリーン版。
(２)前記印刷用スクリーンは前記支持体に所定の張力を持って接合されており、
前記支持体は、前記印刷用スクリーンの張力に対して非変形状態を保持できる厚みの金属板である、請求項１に記載のコンタクト印刷用コンビネーションスクリーン版。
(３)前記支持体は、ヤング率が７０ＧＰａ以上、６４０ＧＰａ以下であり、厚みが０．１ｍｍ以上、３ｍｍ以下の金属板である、請求項１又は２に記載のコンタクト印刷用コンビネーションスクリーン版。
(４)前記支持体は、厚み０．１ｍｍ以上、１ｍｍ以下の金属板である、請求項３に記載のコンタクト印刷用コンビネーションスクリーン版。
(５)前記支持体は、熱膨張係数１×１０-6／℃以上、２３×１０-6／℃以下の金属板である、請求項１〜４のいずれか１項に記載のコンタクト印刷用コンビネーションスクリーン版。
(６)前記印刷用スクリーンは、前記支持体の印刷ステージ側に接合されていることを特徴とした請求項１〜５のいずれか１項に記載のコンタクト印刷用コンビネーションスクリーン版。
(７)請求項１乃至６のいずれか１項に記載のコンタクト印刷用コンビネーションスクリーン版と、
前記コンビネーションスクリーン版の印刷用スクリーン上に供給されたペーストを押圧しながら水平移動するスキージと、
断面円弧状の外周面を有し、前記外周面上に吸着した被印刷物の表面を前記印刷用スクリーンの裏面の前記スキージの先端位置と対応する位置に接触させながら前記スキージの移動と同期して回転する印刷用ステージと、を備えた印刷装置。
【符号の説明】
【００４５】
１        コンビネーションスクリーン版
２        枠
３        印刷用スクリーン
４        支持体
４ａ      開口部
１０      スキージ
１２      ステージ
１２ａ    円弧状外周面
Ｐ        ペースト
【図１】
2020138547.tif 000004
【図２】
2020138547.tif 000005
【図３】
2020138547.tif 000006
【図４】
2020138547.tif 000007
【図５】
2020138547.tif 000008
【図６】
2020138547.tif 000009